(57)【要約】【課題】出力部の出力を変更するための運転席側の操作及び後部席側の操作などを適切に制限可能な技術を提供することを目的とする。【解決手段】ナビゲーション装置１は、操作判断部１２と、出力制御部１３とを備える。操作判断部１２は、運転席操作または後部席操作として実施された出力変更操作が優先操作に該当するか否かを判断する。出力制御部１３は、出力変更操作が優先操作でない他方の操作に該当すると判断された場合には、当該出力変更操作に応じて出力部の出力を変更することを制限する。【選択図】図１
2015039969.tif 000002
【特許請求の範囲】
【請求項１】
車両に搭載された出力部の出力を制御可能な出力制御装置であって、
前記車両の第１座席での第１操作、及び、前記車両の第２座席での第２操作のいずれか一方の操作が、他方の操作よりも優先とされる優先操作として、予め定められたコンテンツごとに設定された優先情報を取得する優先情報取得部と、
コンテンツ切り替え、または、コンテンツ出力変更を含む前記出力部への出力変更操作が前記第１操作または前記第２操作として実施された場合に、前記優先情報に基づいて、当該出力変更操作が、前記優先操作である前記一方の操作に該当するか否かを判断する操作判断部と、
前記出力変更操作が前記優先操作でない前記他方の操作に該当すると判断された場合には、当該出力変更操作に応じて前記出力部の出力を変更することを制限する出力制御部と
を備える、出力制御装置。
【請求項２】
請求項１に記載の出力制御装置であって、
前記操作判断部は、
前記出力部で現在出力されている現在のコンテンツと前記優先情報とに基づいて、前記現在のコンテンツを出力させた操作が、当該現在のコンテンツに対応する前記優先操作に該当するか否かを判断し、
前記出力制御部は、
前記現在のコンテンツを出力させた操作が当該現在のコンテンツに対応する前記優先操作に該当すると判断され、かつ、前記出力変更操作が前記優先操作でない前記他方の操作に該当すると判断された場合には、当該出力変更操作に応じて前記出力部の出力を変更することを制限する、出力制御装置。
【請求項３】
請求項１または請求項２に記載の出力制御装置であって、
前記優先情報取得部は、前記優先情報を記憶する優先情報記憶部であり、
前記優先情報記憶部に記憶された前記優先情報における前記優先操作の設定を、前記予め定められたコンテンツごとに編集可能な優先情報編集部
をさらに備える、出力制御装置。
【請求項４】
請求項１乃至請求項３のいずれかに記載の出力制御装置であって、
前記車両が走行しているか否かを判断する走行判断部
をさらに備え、
前記優先情報は、
前記車両が走行している場合及び停止している場合のそれぞれについて規定されており、
前記操作判断部は、
前記走行判断部の判断結果と、前記優先情報とに基づいて、前記出力変更操作が、前記優先操作である前記一方の操作に該当するか否かを判断する、出力制御装置。
【請求項５】
車両に搭載された出力部の出力を制御可能な出力制御方法であって、
（ａ）前記車両の第１座席での第１操作、及び、前記車両の第２座席での第２操作のいずれか一方の操作が、他方の操作よりも優先とされる優先操作として、予め定められたコンテンツごとに設定された優先情報を取得する工程と、
（ｂ）コンテンツ切り替え、または、コンテンツ出力変更を含む前記出力部への出力変更操作が前記第１操作または前記第２操作として実施された場合に、前記優先情報に基づいて、当該出力変更操作が、前記優先操作である前記一方の操作に該当するか否かを判断する工程と、
（ｃ）前記出力変更操作が前記優先操作でない前記他方の操作に該当すると前記工程（ｂ）で判断された場合には、当該出力変更操作に応じて前記出力部の出力を変更することを制限する工程と
を備える、出力制御方法。
【発明の詳細な説明】
【技術分野】
【０００１】
本発明は、車両に搭載された出力部の出力を制御可能な出力制御装置及び出力制御方法に関するものである。
【背景技術】
【０００２】
近年、表示部及び音声出力部などの出力部と、操作部とが搭載された車両において、様々な映像や音声を出力する車載用エンターテインメントシステムが構築されている。その一つとして、運転席側及び後部席側において同一のＡＶ（Audio-Visual）コンテンツを出力し、運転席側及び後部席側の双方のコンテンツの出力が、運転席側からの操作及び後部席側からの操作によって一律に変更されるシステムがある。このようなシステムに対して、これまでに様々な技術が提案されている。
【０００３】
例えば特許文献１には、車両走行中に後部席側の操作を制限することにより、運転者の意思によって運転席側及び後部席側の表示を維持することが可能な技術が提案されている。
【先行技術文献】
【特許文献】
【０００４】
【特許文献１】特開平１０−２８７１８８号公報
【発明の概要】
【発明が解決しようとする課題】
【０００５】
従来技術では、例えば、ラジオ放送の内容が、運転者にとって聴取したい内容（交通情報など運転に必要な内容や、運転者にとって関心のある内容）であるか否かに関わらず、後部席側の操作及び運転席側の操作のいずれか一方の操作が優先に固定され、他方の操作が制限されていた。
【０００６】
このため、後部席側の操作が優先に固定されている場合には、ラジオ放送の内容が運転者にとって聴取したい内容であっても、後部席側の操作に応じて音声がラジオ放送からＣＤ（Compact Disc）などに切り替わることから、運転者にとって好ましくないという問題があった。一方、運転席側の操作が優先に固定され、後部席側の操作が制限されている場合には、ラジオ放送の内容が運転者にとって聴取しなくてもよい内容であっても、後部席側の操作に応じて音声をラジオ放送からＣＤなどに切り替えることができないことから、後部席の同乗者にとって好ましくないという問題があった。
【０００７】
また、上記の場合以外にも、例えば、道路案内を維持するために、後部席側の操作を制限することが好ましい場合もあれば、同乗者に目的地を設定してもらうために、後部席側の操作を制限しないことが好ましい場合もある。しかしながら、従来技術では、これらの状況に適切に対応することができないという問題があった。
【０００８】
そこで、本発明は、上記のような問題点を鑑みてなされたものであり、出力部の出力を変更するための第１操作及び第２操作（例えば運転席側の操作及び後部席側の操作）を適切に制限可能な技術を提供することを目的とする。
【課題を解決するための手段】
【０００９】
本発明に係る出力制御装置は、車両に搭載された出力部の出力を制御可能な出力制御装置であって、車両の第１座席での第１操作、及び、車両の第２座席での第２操作のいずれか一方の操作が、他方の操作よりも優先とされる優先操作として、予め定められたコンテンツごとに設定された優先情報を取得する優先情報取得部を備える。そして、出力制御装置は、コンテンツ切り替え、または、コンテンツ出力変更を含む出力部への出力変更操作が第１操作または第２操作として実施された場合に、優先情報に基づいて、当該出力変更操作が、優先操作である一方の操作に該当するか否かを判断する操作判断部を備える。そして、出力制御装置は、出力変更操作が優先操作でない他方の操作に該当すると判断された場合には、当該出力変更操作に応じて出力部の出力を変更することを制限する出力制御部を備える。
【発明の効果】
【００１０】
本発明によれば、第１操作及び第２操作のいずれか一方の操作が優先操作として予め定められたコンテンツごとに設定されている。そして、実施された出力変更操作が優先操作でない他方の操作に該当すると判断された場合には、当該出力変更操作に応じて出力部の出力を変更することを制限する。したがって、コンテンツに応じて第１操作及び第２操作を選択的に制限することができるので、第１操作及び第２操作を適切に制限することができる。
【図面の簡単な説明】
【００１１】
【図１】実施の形態１に係るナビゲーション装置の構成の一例を示すブロック図である。
【図２】実施の形態１に係る優先情報の一例を示す図である。
【図３】実施の形態１に係るナビゲーション装置の動作を示すフローチャートである。
【図４】実施の形態１の変形例１に係る優先情報の一例を示す図である。
【図５】実施の形態１の変形例１に係るナビゲーション装置の動作を示すフローチャートである。
【図６】実施の形態１の変形例２に係る優先情報の一例を示す図である。
【図７】実施の形態１の変形例２に係るナビゲーション装置の動作を示すフローチャートである。
【図８】実施の形態２に係るナビゲーション装置の構成の一例を示すブロック図である。
【図９】実施の形態２に係る優先情報編集部の動作を示すフローチャートである。
【図１０】実施の形態３に係るナビゲーション装置の構成の一例を示すブロック図である。
【図１１】実施の形態３に係る優先情報の一例を示す図である。
【図１２】実施の形態３に係るナビゲーション装置の動作を示すフローチャートである。
【発明を実施するための形態】
【００１２】
＜実施の形態１＞
本発明の実施の形態１として、本発明に係る出力制御装置を、車両に搭載されたナビゲーション装置（車両とともに移動するナビゲーション装置）に適用した場合を例にして説明する。図１は、当該ナビゲーション装置の構成の一例を示すブロック図である。以下、図１に示されるナビゲーション装置１が搭載された車両を「自車」と記載して説明する。
【００１３】
ナビゲーション装置１は、運転席表示部２１、運転席音声出力部２２、運転席操作部２３、後部席表示部２４、後部席音声出力部２５、後部席操作部２６、ラジオチューナー２７、音楽プレーヤー２８、映像プレーヤー２９及びＧＰＳ（Global Positioning System）レシーバー３０と接続されている。ナビゲーション装置１が、これらの周辺要素を統括的に制御することによって、様々な映像や音声を出力する車載用エンターテインメントシステムが構築される。
【００１４】
＜周辺要素＞
ここでは、周辺要素のそれぞれについて詳細に説明する。
【００１５】
運転席表示部２１は、自車に搭載された表示部（出力部）であり、運転席側において各種情報を表示（出力）する。この運転席表示部２１には、例えば自車のダッシュボードなどに配設された液晶ディスプレイなどの表示装置が適用される。
【００１６】
運転席音声出力部２２は、自車に搭載された音声出力部（出力部）であり、運転席側において各種情報を音声によって出力する。この運転席音声出力部２２には、例えば運転席表示部２１と一体化されたスピーカー、または、自車に備え付けえられたスピーカーなどが適用される。
【００１７】
運転席操作部２３は、運転席での各種操作（第１座席での第１操作）を受け付ける操作部である。以下、運転席での各種操作を「運転席操作」と記す。この運転席操作部２３には、例えばリモコン、運転席表示部２１と一体化されたタッチパネル、及び、マイクに入力された音声から運転席操作を抽出する音声解析装置などが適用される。運転席操作部２３は、運転席操作を受け付けると、当該運転席操作に応じた信号をナビゲーション装置１に出力する。
【００１８】
後部席表示部２４は、自車に搭載された表示部（出力部）であり、後部席側において各種情報を表示（出力）する。この後部席表示部２４には、例えば前席（運転席及び助手席）の背面に配設された液晶ディスプレイなどの表示装置が適用される。
【００１９】
後部席音声出力部２５は、自車に搭載された音声出力部（出力部）であり、後部席側において各種情報を音声によって出力する。この後部席音声出力部２５には、例えば後部席表示部２４と一体化されたスピーカー、または、自車に備え付けえられたスピーカーなどが適用される。
【００２０】
なお、以下の説明では、運転席表示部２１、運転席音声出力部２２、後部席表示部２４、及び、後部席音声出力部２５を区別しない場合には、これらを「出力部」と記載する。
【００２１】
後部席操作部２６は、後部席での各種操作（第２座席での第２操作）を受け付ける操作部である。以下、後部席での各種操作を「後部席操作」と記す。この後部席操作部２６には、例えばリモコン、後部席表示部２４と一体化されたタッチパネル、及び、マイクに入力された音声から後部席操作を抽出する音声解析装置などが適用される。後部席操作部２６は、後部席操作を受け付けると、当該後部席操作に応じた信号をナビゲーション装置１に出力する。
【００２２】
ラジオチューナー２７は、例えばラジオ受信機などから構成されており、ラジオ放送を受信する。ここでは、ラジオチューナー２７は、音声情報と、当該音声情報のコンテンツ（音声情報のタイトル、ジャンル及び種別などの詳細を示す情報）と、番組表の情報とを含むデジタルラジオ放送を受信し、当該デジタルラジオ放送に含まれる各種情報をナビゲーション装置１に出力する。
【００２３】
音楽プレーヤー２８は、例えばＣＤを再生するＣＤプレーヤー、または、携帯型の音楽記憶装置（例えばｉＰｏｄ（登録商標））などから構成されており、ＣＤや音楽記憶装置に記憶された音楽の音声情報を再生してナビゲーション装置１に出力する。また、音楽プレーヤー２８が、音楽の音声情報とともに当該音声情報のコンテンツを取得できる場合には、音楽プレーヤー２８は、音楽の音声情報とともに、当該音声情報のコンテンツをナビゲーション装置１に出力する。
【００２４】
映像プレーヤー２９は、例えばＤＶＤ（Digital Versatile Disk）を再生するＤＶＤプレーヤー、または、Ｂｌｕ−ｒａｙ（登録商標）などのプレーヤーから構成されており、ＤＶＤなどに記憶された映像情報を再生してナビゲーション装置１に出力する。また、映像プレーヤー２９は、映像情報のコンテンツ（映像情報のタイトル、ジャンル及び種別などの詳細を示す情報）を取得することができる場合には、映像情報とともに、当該映像情報のコンテンツをナビゲーション装置１に出力する。なお、ナビゲーション装置１がネットワークと通信可能に構成されている場合には、ナビゲーション装置１が、映像情報のコンテンツをネットワークから受信するものであってもよい。
【００２５】
ＧＰＳレシーバー３０は、ＧＰＳ衛星からのＧＰＳ信号を受信し、当該ＧＰＳ信号などに基づいて、自車の現在位置（例えば緯度・経度）を検出する。ＧＰＳレシーバー３０は、検出した自車の現在位置をナビゲーション装置１に出力する。
【００２６】
＜ナビゲーション装置１＞
図１に示されるナビゲーション装置１は、優先情報記憶部１１と、操作判断部１２と、出力部の出力などを制御する出力制御部１３とを備えて構成されている。
【００２７】
なお、図１には示されていないが、ナビゲーション装置１はＣＰＵ（Central Processing Unit）を備えており、このＣＰＵがプログラムを実行することによって、ナビゲーション装置１において操作判断部１２及び出力制御部１３の機能が実現されている。
【００２８】
また、上述のＣＰＵがプログラムを実行することによって、ナビゲーション装置１が周辺要素を統括的に制御することが可能となっているとともに、ナビゲーション装置１においてナビゲーション機能などの機能が実現されている。なお、ナビゲーション機能とは、例えば、ＧＰＳレシーバー３０で検出された自車の現在位置と、運転席操作または後部席操作によって入力された目的地と、地図情報とに基づいて現在位置から目的地までの経路を探索し、当該探索した経路に沿ってユーザを現在位置から目的地まで案内する機能である。
【００２９】
次に、ナビゲーション装置１の各構成要素について詳細に説明する。
【００３０】
優先情報記憶部１１は、例えばハードディスクドライブ（ＨＤＤ）、または、半導体メモリなどの記憶装置から構成される。優先情報記憶部１１（優先情報取得部）は、優先情報を記憶している。
【００３１】
図２は、優先情報記憶部１１に記憶されている優先情報の一例を示す図である。図２に示される優先情報は、アプリケーションの分類と、各アプリケーションのコンテンツと、優先操作の設定とを含んでいる。
【００３２】
アプリケーションの分類は、ナビゲーション装置１によって実行可能なアプリケーションの種類を示している。図２の分類に示すナビゲーション、ラジオ、音楽及び映像は、それぞれ上述のナビゲーション機能、ラジオチューナー２７、音楽プレーヤー２８及び映像プレーヤー２９のアプリケーションに対応する。
【００３３】
アプリケーションのコンテンツは、各アプリケーションのより細かな分類であり、例えば上述の音声情報のコンテンツ、及び、上述の映像情報のコンテンツなどに対応する。
【００３４】
図２に示される優先情報においては、運転席操作及び後部席座席のいずれか一方の操作が、他方の操作よりも優先とされる優先操作として、道路案内、目的地検索、交通情報、クラシックなどのコンテンツ（予め定められたコンテンツ）ごとに設定されている。ここでは、優先操作（一方の操作）には「○」が付され、優先操作でない他方の操作には「○」が付されずに空欄になっている。
【００３５】
なお、図２の優先情報には、運転席操作及び後部席操作のいずれにも「○」が付されていないコンテンツがあってもよい。また、優先操作の設定は、「○」などを付すことに限ったものではなく、優先度などの値の大小によって設定されてもよい。
【００３６】
図１に戻って、出力部への出力変更操作が運転席操作または後部席操作として実施された場合に、操作判断部１２は、優先情報記憶部１１の優先情報に基づいて、当該出力変更操作が優先操作（一方の操作）に該当するか否かを判断する。なお、出力部への出力変更操作とは、出力部の出力を変更するための操作である。
【００３７】
ここでは、出力変更操作は、コンテンツ切り替え操作（現在のコンテンツに代えて別のコンテンツを出力部から出力させる操作）であるものとして説明する。なお、現在のコンテンツとは、本明細書において、出力部から現在出力されているコンテンツを意味するものとする。
【００３８】
出力変更操作をコンテンツ切り替え操作とする本実施の形態１では、コンテンツ切り替え操作が運転席操作または後部席操作として実施された場合に、操作判断部１２は、図２の優先情報に基づいて、当該コンテンツ切り替え操作が優先操作（一方の操作）に該当するか否かを判断する。
【００３９】
例えば、コンテンツ切り替え操作が、図２において○が付された操作（現在のコンテンツから道路案内、交通情報、クラシックもしくは映像音楽に切り替えて出力させる運転席操作、または、現在のコンテンツから目的地検索、ロックもしくは映画に切り替えて出力させる後部席操作など）に該当する場合には、操作判断部１２は、コンテンツ切り替え操作が優先操作（一方の操作）に該当すると判断する。一方、コンテンツ切り替え操作が、図２において○が付されていない操作（現在のコンテンツから目的地検索、スポーツもしくはロックなどに切り替えて出力させる運転席操作、または、現在のコンテンツから道路案内、交通情報もしくはスポーツなどに切り替えて出力させる後部席操作など）に該当する場合には、操作判断部１２は、コンテンツ切り替え操作が優先操作（一方の操作）でない他方の操作に該当すると判断する。
【００４０】
上述の判断だけでなく、操作判断部１２は、現在のコンテンツと優先情報記憶部１１の優先情報とに基づいて、現在のコンテンツを出力させた操作が、当該現在のコンテンツに対応する優先操作に該当するか否かを判断する。なお、以下の説明では、現在のコンテンツに対応する優先操作を「対応優先操作」と記すこともある。
【００４１】
例えば、現在出力されているコンテンツが「道路案内」である場合に、現在のコンテンツを出力するために実施された操作が、図２の優先情報の「道路案内」において「○」が付された「運転席操作」に該当する場合には、操作判断部１２は、現在のコンテンツを出力させた操作は対応優先操作に該当すると判断する。一方、現在のコンテンツ（「道路案内」）を出力するために実施された操作が、図２の優先情報の「道路案内」において「○」が付された「運転席操作」ではなく「後部席操作」に該当する場合には、操作判断部１２は、現在のコンテンツを出力させた操作は対応優先操作に該当しないと判断する。
【００４２】
出力制御部１３は、上述のナビゲーション機能と、出力部におけるＡＶコンテンツの出力を制御する機能とを有するＡＶナビゲーション処理部に相当する。前提として、本実施の形態１に係る出力制御部１３は、運転席表示部２１及び後部席表示部２４において同一の映像を表示させ、運転席音声出力部２２及び後部席音声出力部２５において同一の音声を出力させるものとする。
【００４３】
ここで、本実施の形態１では、現在のコンテンツを出力させた操作が対応優先操作に該当しないと操作判断部１２で判断された場合には、出力制御部１３は、コンテンツ切り替え操作が優先操作及び他方の操作のいずれに該当するかに関わらず、当該コンテンツ切り替え操作を有効にする。
【００４４】
一方、現在のコンテンツを出力させた操作が対応優先操作に該当すると操作判断部１２で判断された場合には、出力制御部１３は、対応優先操作以降に実施されたコンテンツ切り替え操作が、優先操作及び他方の操作のいずれに該当するかによって、当該コンテンツ切り替え操作を有効にしたり、無効にしたりする。
【００４５】
具体的には、対応優先操作以降に実施されたコンテンツ切り替え操作が、優先操作（一方の操作）に該当すると操作判断部１２で判断された場合には、出力制御部１３は、当該コンテンツ切り替え操作に応じてコンテンツを切り替える（出力部の出力を変更する）。一方、対応優先操作以降に実施されたコンテンツ切り替え操作が、他方の操作に該当すると操作判断部１２で判断された場合には、出力制御部１３は、当該コンテンツ切り替え操作に応じてコンテンツを切り替えない（出力部の出力を変更しない）。
【００４６】
＜動作＞
図３は、本実施の形態１に係るナビゲーション装置１の動作を示すフローチャートである。以下、図３を用いて、この動作について説明する。
【００４７】
まず、ステップＳ１にて、ナビゲーション装置１は、コンテンツ切り替え操作が、運転席操作または後部席操作として実施されたか否かを判断する。つまり、ナビゲーション装置１は、コンテンツ切り替え操作を、運転席操作部２３または後部席操作部２６にて受け付けたか否かを判断する。コンテンツ切り替え操作が実施されたと判断した場合にはステップＳ２に進み、そうでない場合にはしばらくしてからステップＳ１の判断を再度行う。
【００４８】
ステップＳ２にて、操作判断部１２は、現在のコンテンツを出力制御部１３から取得する。つまり、操作判断部１２は、出力部（運転席表示部２１、運転席音声出力部２２、後部席表示部２４及び後部席音声出力部２５）にて現在出力されているコンテンツ、すなわち現在のコンテンツを取得する。
【００４９】
ステップＳ３にて、操作判断部１２は、優先情報を優先情報記憶部１１から取得する。
【００５０】
ステップＳ４にて、操作判断部１２は、現在のコンテンツと優先情報とに基づいて、現在のコンテンツを出力させた操作が、対応優先操作に該当するか否かを判断する。現在のコンテンツを出力させた操作が、対応優先操作に該当すると判断された場合にはステップＳ５に進み、対応優先操作に該当しないと判断された場合にはステップＳ６に進む。
【００５１】
ステップＳ５にて、操作判断部１２は、優先情報に基づいて、ステップＳ１で実施されたコンテンツ切り替え操作が優先操作（一方の操作）に該当するか否かを判断する。ステップＳ１のコンテンツ切り替え操作が、優先操作（一方の操作）に該当すると判断された場合にはステップＳ６に進み、優先操作でない他方の操作に該当すると判断された場合にはステップＳ８に進む。
【００５２】
すなわち、本実施の形態１では、ステップＳ４にて現在のコンテンツを出力させた操作が対応優先操作に該当すると判断され、かつ、ステップＳ５にてコンテンツ切り替え操作が他方の操作に該当すると判断された場合には、後述するようにステップＳ８以降においてコンテンツ切り替え操作が制限されるという一連の動作が行われることになる。
【００５３】
ここで、この一連の動作において対応優先操作が運転席操作であり、コンテンツ切り替え操作が助手席操作である場合（運転者が優先操作を実施した後に、助手席の同乗者が優先操作でないコンテンツ切り替え操作を実施した場合）には、助手席の同乗者が実施したコンテンツ切り替え操作が制限される。すなわち、運転者が助手席の同乗者よりも早く優先操作を実施すれば、現在出力されているコンテンツが、助手席の同乗者による優先操作でないコンテンツ切り替え操作によって切り替えられずに済む。したがって、適切に操作を制限することが可能となっている。
【００５４】
その一方で、上述の一連の動作において対応優先操作が運転席操作であり、コンテンツ切り替え操作が運転席操作である場合（運転者が優先操作を実施した後に、運転者が優先操作でないコンテンツ切り替え操作を実施した場合）にも、当該コンテンツ切り替え操作が制限されることになる。すなわち、運転者が優先操作を実施すると、それ以降の優先操作でないコンテンツ切り替え操作が、運転者の操作であっても制限されてしまうことになり、多少不便となる。そこで、ステップＳ５において、ステップＳ１のコンテンツ切り替え操作が他方の操作に該当すると操作判断部１２で判断された場合であっても、当該コンテンツ切り替え操作と対応優先操作とが同一の操作である場合には、当該コンテンツ切り替え操作が制限されないステップＳ６に進むことが望ましい。
【００５５】
ステップＳ４及びＳ５のいずれかからステップＳ６に進んだ場合、当該ステップＳ６にて、操作判断部１２は、ステップＳ１のコンテンツ切り替え操作に応じてコンテンツを切り替えるように出力制御部１３に要求する。
【００５６】
ステップＳ７にて、出力制御部１３は、操作判断部１２から当該要求を受けると、ステップＳ１のコンテンツ切り替え操作に応じて、出力部に出力されているコンテンツを切り替える。
【００５７】
例えば、ステップＳ１のコンテンツ切り替え操作が、クラシックに切り替える操作であった場合には、出力制御部１３は、現在のコンテンツに代えて、音楽プレーヤー２８の音声情報が示す音楽を、運転席音声出力部２２及び後部席音声出力部２５に音声出力させる。また、例えば、ステップＳ１のコンテンツ切り替え操作が、映画に切り替える操作であった場合には、出力制御部１３は、現在のコンテンツに代えて、映像プレーヤー２９の映像情報が示す映像を、運転席表示部２１及び後部席表示部２４に表示させる。その後、図３に示す動作が終了する。
【００５８】
ステップＳ５からステップＳ８に進んだ場合、当該ステップＳ８にて、操作判断部１２は、コンテンツを切り替えることができない旨を通知するように出力制御部１３に要求する。
【００５９】
ステップＳ９にて、出力制御部１３は、操作判断部１２から当該要求を受けると、ステップＳ１のコンテンツ切り替え操作に応じたコンテンツの切り替えを行わずに、当該切り替えができない旨を出力部に通知（出力）させる。その後、図３に示す動作が終了する。
【００６０】
＜効果＞
以上のような本実施の形態１に係るナビゲーション装置１によれば、運転席操作及び後部席操作のいずれか一方の操作が優先操作としてコンテンツごとに設定されている。そして、実施されたコンテンツ切り替え操作が優先操作でない他方の操作に該当すると判断された場合には、当該コンテンツ切り替え操作に応じたコンテンツの切り替えを制限する。したがって、コンテンツに応じて運転席操作及び後部席操作を選択的に制限することができるので、運転席操作及び後部席操作を適切に制限することができる。よって、運転者及び後部席の同乗者の双方にとって好ましいナビゲーション装置１を実現することができる。
【００６１】
また、本実施の形態１によれば、現在のコンテンツを出力させた操作が対応優先操作（当該現在のコンテンツに対応する優先操作）に該当すると判断され、かつ、コンテンツ切り替え操作が優先操作でない他方の操作に該当すると判断された場合に、当該コンテンツ切り替え操作に応じてコンテンツを切り替えることを制限する。このような構成によれば、優先操作が実施されるまでは、運転席操作及び後部席操作のいずれも有効にし、優先操作が実施された以降は、優先操作でないコンテンツ切り替え操作を制限するので、運転席操作及び後部席操作を適切に制限することが期待できる。
【００６２】
＜実施の形態１の変形例１＞
実施の形態１では、出力変更操作には、コンテンツ切り替え操作が適用された。これに対して本変形例１では、出力変更操作には、コンテンツ出力変更操作（現在のコンテンツの出力を変更する操作）が適用される。なお、コンテンツ出力変更操作としては、例えば、現在のコンテンツの音声のボリュームを変更する操作、音声出力する曲を変更する操作などが想定される。
【００６３】
図４は、本変形例１に係る優先情報の一例を示す図である。この図４に示される優先情報においても、図２に示した優先情報と同様に、運転席操作及び後部席座席のいずれか一方の操作が、他方の操作よりも優先とされる優先操作として、道路案内、目的地検索、交通情報、クラシックなどのコンテンツごとに設定されている。ただし、図４の優先操作（一方の操作）には「○」ではなく「◎」が付され、優先操作ではない他方の操作には「◎」が付されずに空欄になっている。
【００６４】
本変形例１においては、コンテンツ出力変更操作が運転席操作または後部席操作として実施された場合に、操作判断部１２は、図４の優先情報に基づいて、当該コンテンツ出力変更操作が優先操作（一方の操作）に該当するか否かを判断する。
【００６５】
例えば、コンテンツ出力変更操作が、図４において◎が付された操作（道路案内、交通情報、クラシックもしくは映像音楽が現在のコンテンツである場合において出力を変更する運転席操作、または、目的地検索、ロックもしくは映画が現在のコンテンツである場合において出力を変更する後部席操作など）に該当する場合には、操作判断部１２は、コンテンツ出力変更操作が優先操作に該当すると判断する。一方、コンテンツ切り替え操作が、図４において◎が付されていない操作（目的地検索、スポーツもしくはロックなどが現在のコンテンツである場合において出力を変更する運転席操作、または、道路案内、交通情報もしくはスポーツなどが現在のコンテンツである場合において出力を変更する後部席操作など）に該当する場合には、操作判断部１２は、コンテンツ出力変更操作が優先操作でない他方の操作に該当すると判断する。
【００６６】
＜動作＞
図５は、本変形例１に係るナビゲーション装置１の動作を示すフローチャートである。以下、図５を用いて、この動作について説明する。ただし、図５に示すフローチャートのうちステップＳ２及びステップＳ３は、図３と同じであることから、それらの説明については省略する。
【００６７】
まず、ステップＳ１ａにて、ナビゲーション装置１は、コンテンツ出力変更操作が、運転席操作または後部席操作として実施されたか否かを判断する。つまり、ナビゲーション装置１は、コンテンツ出力変更操作を、運転席操作部２３または後部席操作部２６にて受け付けたか否かを判断する。コンテンツ出力変更操作が実施されたと判断した場合にはステップＳ２に進み、そうでない場合にはしばらくしてからステップＳ１ａの判断を再度行う。
【００６８】
ステップＳ２及びＳ３を経たステップＳ４ａにて、操作判断部１２は、現在のコンテンツと優先情報とに基づいて、現在のコンテンツを出力させた操作が、対応優先操作に該当するか否かを判断する。この判断は、実施の形態１のステップＳ４の判断において優先情報の「○」を「◎」に置き換えた動作と同様である。現在のコンテンツを出力させた操作が、対応優先操作に該当すると判断された場合にはステップＳ５ａに進み、対応優先操作に該当しないと判断された場合にはステップＳ６ａに進む。
【００６９】
ステップＳ５ａにて、操作判断部１２は、優先情報に基づいて、ステップＳ１ａで実施されたコンテンツ出力変更操作が優先操作（一方の操作）に該当するか否かを判断する。この判断は、実施の形態１のステップＳ５の判断において優先情報の「○」を「◎」に置き換えた動作と同様である。ステップＳ１ａのコンテンツ出力変更操作が、優先操作（一方の操作）に該当すると判断された場合にはステップＳ６ａに進み、優先操作でない他方の操作に該当すると判断された場合にはステップＳ８ａに進む。
【００７０】
なお、実施の形態１において説明したように、ステップＳ５ａにおいて、ステップＳ１ａのコンテンツ出力変更操作が他方の操作に該当すると操作判断部１２で判断された場合であっても、当該コンテンツ出力変更操作と対応優先操作とが同一の操作である場合には、当該コンテンツ出力変更操作が制限されないステップＳ６ａに進むことが望ましい。
【００７１】
ステップＳ６ａにて、操作判断部１２は、ステップＳ１ａのコンテンツ出力変更操作に応じて現在のコンテンツの出力を変更するように出力制御部１３に要求する。
【００７２】
ステップＳ７ａにて、出力制御部１３は、操作判断部１２から当該要求を受けると、ステップＳ１ａのコンテンツ出力変更操作に応じて、現在のコンテンツの出力を変更する。その後、図５に示す動作が終了する。
【００７３】
ステップＳ８ａにて、操作判断部１２は、現在のコンテンツの出力を変更できない旨を通知するように出力制御部１３に要求する。
【００７４】
ステップＳ９ａにて、出力制御部１３は、操作判断部１２から当該要求を受けると、ステップＳ１ａのコンテンツ出力変更操作に応じた現在のコンテンツの出力変更を行わずに、当該出力変更ができない旨を出力部に通知（出力）させる。その後、図５に示す動作が終了する。
【００７５】
＜効果＞
以上のような本変形例１に係るナビゲーション装置１によれば、現在のコンテンツを出力させた操作が対応優先操作（当該現在のコンテンツに対応する優先操作）に該当すると判断され、かつ、コンテンツ出力変更操作が優先操作でない他方の操作に該当すると判断された場合に、当該コンテンツ出力変更操作に応じて現在のコンテンツの出力を変更することを制限する。このような構成によれば、実施の形態１と同様に、優先操作が実施されるまでは、運転席操作及び後部席操作のいずれも有効にし、優先操作が実施された以降は、優先操作でないコンテンツ出力変更操作を制限するので、運転席操作及び後部席操作を適切に制限することが期待できる。
【００７６】
なお、実施の形態１と本変形例１とを組み合わせてもよい。すなわち、「◎」、「○」及び空欄を含む優先情報を用いて、出力変更操作に、コンテンツ切り替え操作、及び、コンテンツ出力変更操作を適用してもよい。
【００７７】
＜実施の形態１の変形例２＞
実施の形態１では、出力制御部１３は、現在のコンテンツを出力させた操作が対応優先操作に該当すると判断され、かつ、コンテンツ切り替え操作が優先操作でない他方の操作に該当すると判断された場合に、当該コンテンツ切り替え操作に応じてコンテンツを切り替えることを制限した。
【００７８】
これに対して本変形例２では、現在のコンテンツを出力させた操作が対応優先操作に該当するか否かの判断を考慮しないものとなっている。すなわち、出力制御部１３は、コンテンツ切り替え操作が優先操作でない他方の操作に該当すると操作判断部１２で判断されたのであれば、当該コンテンツ切り替え操作に応じてコンテンツを切り替えることを制限するものとなっている。
【００７９】
図６は、本変形例２に係る優先情報の一例を示す図である。この図６に示される優先情報においても、図２に示した優先情報と同様に、運転席操作及び後部席座席のいずれか一方の操作が、他方の操作よりも優先とされる優先操作として、道路案内、目的地検索、交通情報、クラシックなどのコンテンツごとに設定されている。ただし、図６の優先情報では、優先操作には「○」が付され、優先操作ではない他方の操作には「×」が付されており、空欄がないように設定されている。
【００８０】
＜動作＞
図７は、本変形例２に係るナビゲーション装置１の動作を示すフローチャートである。図７に示すフローチャートは、図３に示したフローチャートからステップＳ２及びＳ４を削除したものとなっている。
【００８１】
すなわち、ステップＳ１及びＳ３を経たステップＳ５にて、操作判断部１２は、優先情報に基づいて、ステップＳ１で実施されたコンテンツ切り替え操作が、優先操作（一方の操作）に該当するか否かを判断する。ステップＳ１のコンテンツ切り替え操作が、優先操作（一方の操作）に該当すると判断された場合にはステップＳ６に進み、優先操作でない他方の操作に該当すると判断された場合にはステップＳ８に進む。
【００８２】
ステップＳ６〜Ｓ９では、実施の形態１で説明したステップＳ６〜Ｓ９と同様の動作を行う。
【００８３】
＜効果＞
以上のような本変形例２では、ステップＳ１及びＳ３を経た後、実施の形態１のステップＳ４を経ずにステップＳ５に進む。すなわち、現在のコンテンツを出力させた操作が対応優先操作に該当するか否かに関わらず、コンテンツ切り替え操作が優先操作でない他方の操作に該当すると判断された場合には、当該コンテンツ切り替え操作に応じてコンテンツを切り替えることを制限する。このような本変形例２によれば、優先操作（一方の操作）の優先の程度を高めることができる。
【００８４】
＜実施の形態２＞
図８は、本発明の実施の形態２に係るナビゲーション装置１の構成の一例を示すブロック図である。なお、本実施の形態２に係るナビゲーション装置１において、実施の形態１で説明した周辺要素及び構成要素と同一または類似するものについては同じ符号を付しており、以下においては異なる点を中心に説明する。
【００８５】
図８に示すナビゲーション装置１は、図１に示した構成に、優先情報編集部１５をさらに備えて構成されている。この優先情報編集部１５は、優先情報記憶部１１に記憶された優先情報における優先操作の設定を、予め定められたコンテンツごとに編集可能に構成されている。
【００８６】
＜動作＞
図９は、優先情報編集部１５の動作を示すフローチャートである。
【００８７】
まず、ステップＳ２１にて、予め定められたコンテンツに関して、優先操作の設定を編集するための操作を運転席操作部２３または後部席操作部２６にて受け付ける。
【００８８】
ステップＳ２２にて、優先情報編集部１５は、運転席操作部２３または後部席操作部２６で受け付けた操作に基づいて、優先情報記憶部１１に記憶されている優先操作の設定を予め定められたコンテンツに関して編集する。
【００８９】
ステップＳ２３にて、優先情報記憶部１１は、当該編集が反映された優先情報を記憶する。そして、図９に示す動作が終了する。
【００９０】
＜効果＞
以上のような本実施の形態２に係るナビゲーション装置１によれば、優先情報記憶部１１に記憶された優先情報における優先操作の設定を、予め定められたコンテンツごとに編集することができる。したがって、ユーザ（運転者及び後部席の同乗者など）の好みに合った制限を実施することが可能となる。
【００９１】
なお、上記編集によって、優先情報のコンテンツの数が変更されるように構成されてもよい。例えば、図２の優先情報では、ラジオのコンテンツは、交通情報、スポーツ及びラジオ音楽の３つであったが、ラジオのコンテンツの数が２つ以下となるように優先操作の設定を削除する編集が実施されてもよいし、４つ以上となるように優先操作の設定を生成（追加）する編集が実施されてもよい。また、例えば、いくつかのコンテンツをコンボボックスに予め用意しておき、その中からユーザに選択されたコンテンツに対して上記編集が実施されてもよい。
【００９２】
＜実施の形態３＞
図１０は、本発明の実施の形態３に係るナビゲーション装置１の構成の一例を示すブロック図である。なお、本実施の形態３に係るナビゲーション装置１において、実施の形態１で説明した周辺要素及び構成要素と同一または類似するものについては同じ符号を付しており、以下においては異なる点を中心に説明する。
【００９３】
図１０に示すナビゲーション装置１は、図１に示した構成に、走行判断部１７をさらに備えて構成されている。この走行判断部１７には、自車の走行速度が自車から入力されており、走行判断部１７は、当該走行速度に基づいて自車が走行しているか否かを判断する。例えば、走行判断部１７は、走行速度が予め定められた閾値（例えば０〜１０ｋｍ／ｈのいずれかの値）を超えた場合には自車が走行していると判断し、そうでない場合には自車が停止していると判断する。
【００９４】
図１１は、本実施の形態３に係る優先情報の一例を示す図である。この図１１に示される優先情報は、走行中（自車が走行している場合）及び停止中（停止している場合）のそれぞれについて規定されている。すなわち、走行中及び停止中のそれぞれについて優先操作が設定されている。なお、図１１に示される優先情報は一例であり、停止中の後部席操作には優先操作が設定されていないが、もちろん、優先操作が設定されていてもよい。
【００９５】
本実施の形態３においては、操作判断部１２は、走行判断部１７の判断結果と、図１１に示す優先情報とに基づいて、上述のコンテンツ切り替え操作が優先操作（一方の操作）に該当するか否かを判断するように構成されている。
【００９６】
＜動作＞
図１２は、本実施の形態３に係るナビゲーション装置１の動作を示すフローチャートである。以下、図１２を用いて、この動作について説明する。ただし、図１２に示すフローチャートは、図３に示したフローチャートのステップＳ４とステップＳ５との間にステップＳ３１，Ｓ３２及びＳ３３を追加したものであることから、以下においてはステップＳ３１，Ｓ３２及びＳ３３について主に説明する。
【００９７】
ステップＳ１〜Ｓ４を経たステップＳ３１にて、走行判断部１７は、自車が走行しているか否かを判断する。自車が走行していると判断した場合にはステップＳ３２に進み、自車が停止していると判断した場合にはステップＳ３３に進む。
【００９８】
ステップＳ３２にて、操作判断部１２は、優先情報のうち「走行中」に対応する優先操作の設定を抽出する。その後、ステップＳ５以降において、ナビゲーション装置１は、「走行中」に対応する優先操作の設定を用いて、実施の形態１と同様の動作を行う。
【００９９】
ステップＳ３３にて、操作判断部１２は、優先情報のうち「停止中」に対応する優先操作の設定を抽出する。その後、ステップＳ５以降において、ナビゲーション装置１は、「停止中」に対応する優先操作の設定を用いて、実施の形態１と同様の動作を行う。
【０１００】
＜効果＞
以上のような本実施の形態３に係るナビゲーション装置１によれば、自車が走行中か否かに応じて、運転席操作及び後部席操作の制限を変更することができる。したがって、運転者及び後部席の同乗者にとって好ましいナビゲーション装置１を実現することができる。
【０１０１】
＜第１操作及び第２操作の変形例＞
以上の説明では、運転席及び後部席での各種操作を、第１座席での第１操作及び第２座席での第２操作に適用し、運転席表示部２１、運転席音声出力部２２、後部席表示部２４及び後部席音声出力部２５を、出力部に適用したが、これに限ったものではない。
【０１０２】
例えば、２つの前席（運転席及び助手席）での各種操作を、第１座席での第１操作及び第２座席での第２操作に適用し、前席のそれぞれに設けられた表示部及び音声出力部を、出力部に適用してもよい。この場合には、前席同士の操作を適宜制限することができる。
【０１０３】
また、例えば、２つの後部席での各種操作を、第１座席での第１操作及び第２座席での第２操作に適用し、後部席のそれぞれに設けられた表示部及び音声出力部を、出力部に適用してもよい。この場合には、後部席同士の操作を適宜制限することができる。
【０１０４】
＜出力制御装置をナビゲーション装置以外にも適用した変形例＞
以上で説明した出力制御装置は、車両に備え付けられたナビゲーション装置１だけでなく、車両とともに移動可能な、ＰＮＤ（Portable Navigation Device）、及び、携帯端末（例えば携帯電話、スマートフォン、及びタブレットなど）、並びにサーバなどを適宜に組み合わせてシステムとして構築される出力制御装置にも適用することができる。この場合、以上で説明したナビゲーション装置１の各機能あるいは各構成要素は、前記システムを構築する各機器に分散して配置される。
【０１０５】
また、以上の説明では、出力制御装置を、ナビゲーション装置１に適用した構成について説明したが、これに限ったものではなく、ＰＮＤ、携帯端末、及び、サーバのいずれかに適用してもよい。
【０１０６】
また、以上では、優先情報取得部に、優先情報を記憶する優先情報記憶部１１を適用した構成について説明した。しかし、優先情報取得部は、優先情報を取得するものであれば、優先情報記憶部１１に限ったものではなく、例えば優先情報を受信するように構成された通信部などであってもよい。また、例えば、出力制御装置をスマートフォンに適用する場合には、スマートフォンの構成要素のうち、優先情報記憶部１１と同等の記憶部などが、優先情報取得部に適用されてもよい。また、例えば、出力制御装置をサーバに適用する場合には、サーバの構成要素のうち、優先情報記憶部１１と同等の記憶部などが、優先情報取得部に適用されてもよい。
【０１０７】
また、例えば、出力制御装置をスマートフォンに適用する場合には、スマートフォンの通信部が、運転席操作（第１操作）及び後部席操作（第２操作）の実施の有無を受信するように構成されてもよい。また、例えば、出力制御装置をサーバに適用する場合には、サーバの通信部が、運転席操作（第１操作）及び後部席操作（第２操作）の実施の有無を受信するように構成されてもよい。
【０１０８】
また、以上の説明では、例えば図１に示すように、ナビゲーション装置１と周辺要素とが接続された構成であり、ナビゲーション装置１自体は、周辺要素を備える構成ではなかった。しかしこれに限ったものではなく、ナビゲーション装置１は、周辺要素のうち少なくとも１つ（例えば運転席表示部２１、ラジオチューナー２７など）を備えるように構成されていてもよい。
【０１０９】
なお、本発明は、その発明の範囲内において、各実施の形態及び各変形例を自由に組み合わせたり、各実施の形態及び各変形例を適宜、変形、省略したりすることが可能である。
【符号の説明】
【０１１０】
１  ナビゲーション装置、１１  優先情報記憶部、１２  操作判断部、１３  出力制御部、１５  優先情報編集部、１７  走行判断部、２１  運転席表示部、２２  運転席音声出力部、２４  後部席表示部、２５  後部席音声出力部。
【図１】
2015039969.tif 000003
【図２】
2015039969.tif 000004
【図３】
2015039969.tif 000005
【図４】
2015039969.tif 000006
【図５】
2015039969.tif 000007
【図６】
2015039969.tif 000008
【図７】
2015039969.tif 000009
【図８】
2015039969.tif 000010
【図９】
2015039969.tif 000011
【図１０】
2015039969.tif 000012
【図１１】
2015039969.tif 000013
【図１２】
2015039969.tif 000014